(57)【要約】【課題】画像読取装置の制御基板のメンテナンス性を向上する。【解決手段】原稿が載置される原稿載置台を上面に有する筐体と、前記原稿載置台に載置された原稿を読み取るための画像読取手段と、前記画像読取手段を、前記画像読取手段の主走査方向と直交する副走査方向に移動させる移動手段と、前記画像読取手段による読取動作を制御する制御手段が搭載された制御基板と、前記制御基板と前記画像読取手段を接続するための接続手段とを備え、前記筐体は、その底面側から前記筐体内部側に向かって形成された凹部を有し、前記凹部内に前記制御基板が配置され、前記接続手段の、前記画像読取手段の移動につれて可動する部分を含む可動部分は、前記筐体内側の側壁と前記凹部の前記筐体内側における側壁との間の収容空間に配置され、前記移動手段による前記画像読取手段の移動に伴い、前記収容空間内を摺動することを特徴とする。【選択図】図５
2018148365.tif 000002
【特許請求の範囲】
【請求項１】
原稿が載置される原稿載置台を上面に有する筐体と、
前記原稿載置台に載置された原稿を読み取るための画像読取手段と、
前記画像読取手段を、前記画像読取手段の主走査方向と直交する副走査方向に移動させる移動手段と、
前記画像読取手段による読取動作を制御する制御手段が搭載された制御基板と、
前記制御基板と前記画像読取手段を接続するための接続手段と
を備え、
前記筐体は、その底面側から前記筐体内部側に向かって形成された凹部を有し、前記凹部内に前記制御基板が配置され、
前記接続手段の、前記画像読取手段の移動につれて可動する部分を含む可動部分は、前記筐体内側の側壁と前記凹部の前記筐体内側における側壁との間の収容空間に配置され、前記移動手段による前記画像読取手段の移動に伴い、前記収容空間内を摺動することを特徴とする画像読取装置。
【請求項２】
前記接続手段の前記可動部分は、前記収容空間において前記原稿載置台に対し垂直に配置されていることを特徴とする請求項１に記載の画像読取装置。
【請求項３】
前記凹部は、前記副走査方向において前記接続手段の前記可動部分の可動範囲に沿って設けられていることを特徴とする請求項２に記載の画像読取装置。
【請求項４】
前記凹部は、前記副走査方向において前記筐体の一端部から他端部に亘って設けられていることを特徴とする請求項１から３のいずれか一項に記載の画像読取装置。
【請求項５】
前記接続手段は、前記可動部分を前記原稿載置台と平行に配置させるための固定手段を介して前記画像読取手段に固定されることを特徴とする請求項１から４のいずれか一項に記載の画像読取装置。
【請求項６】
前記凹部の前記筐体内側における上端部に、前記画像読取手段が移動する際に摺動するレール部が形成されていることを特徴とする請求項１から５のいずれか一項に記載の画像読取装置。
【請求項７】
前記接続手段は、一端が前記画像読取手段に固定され、他端が前記筐体の前記副走査方向における中央部から前記凹部内に連通して前記制御手段に接続されており、
前記画像読取手段は、前記接続手段の上方を移動することを特徴とする請求項１から６のいずれか一項に記載の画像読取装置。
【発明の詳細な説明】
【技術分野】
【０００１】
本発明は、例えば、紙等のシート材や冊子等からなる原稿の画像を読み取るための画像読取装置に関する。
【背景技術】
【０００２】
従来から、原稿面に沿って画像読取手段であるキャリッジを走査してその上部の載置台上の原稿の画像読取を行うフラットベッドスキャナが知られている（例えば、特許文献１参照）。このような従来のフラットベッドスキャナにおいては、画像読取部と接続ケーブルを介して接続される制御基板が、フラットベッドスキャナ内もしくはフラットベッドスキャナが搭載される画像形成装置の本体内に設けられている。
【先行技術文献】
【特許文献】
【０００３】
【特許文献１】特開２０１６−１８９２４０号公報
【発明の概要】
【発明が解決しようとする課題】
【０００４】
上記の特許文献１に開示の画像読取装置では、制御基板のメンテナンスを行う際に、画像読取装置の筐体や載置台を開け、その内部で作業する必要がある。そのため、画像読取装置内部にゴミや埃が侵入し、読取画像に白点や黒点が現れてしまう可能性があった。
また、接続ケーブルが本体内を移動する際に、意図しない方向に折れたりした場合にも筐体や載置台を開けて内部で作業する必要があった。
【課題を解決するための手段】
【０００５】
本発明に係る画像読取装置は、上記を鑑み、
原稿が載置される原稿載置台を上面に有する筐体と、
前記原稿載置台に載置された原稿を読み取るための画像読取手段と、
前記画像読取手段を、前記画像読取手段の主走査方向と直交する副走査方向に移動させる移動手段と、
前記画像読取手段による読取動作を制御する制御手段が搭載された制御基板と、
前記制御基板と前記画像読取手段を接続するための接続手段と
を備え、
前記筐体は、その底面側から前記筐体内部側に向かって形成された凹部を有し、前記凹部内に前記制御基板が配置され、
前記接続手段の、前記画像読取手段の移動につれて可動する部分を含む可動部分は、前記筐体内側の側壁と前記凹部の前記筐体内側における側壁との間の収容空間に配置され、前記移動手段による前記画像読取手段の移動に伴い、前記収容空間内を摺動することを特徴とする。
【発明の効果】
【０００６】
本発明によれば、画像読取装置の筐体や載置台を開けることなく制御基板のメンテナンスを行うことができ、また、接続手段による安定した摺動を行うことが可能となる。
【図面の簡単な説明】
【０００７】
【図１】本発明の一実施形態に係る画像読取装置の斜視図。
【図２】本発明の一実施形態に係る画像読取装置の上面図。
【図３】本発明の一実施形態に係る画像読取装置の底面図。
【図４】本発明の一実施形態に係る画像読取装置の背面図。
【図５】本発明の一実施形態に係る画像読取装置の要部の斜視図。
【図６】本発明の一実施形態に係る画像読取装置の要部の拡大図。
【図７】本発明の一実施形態に係る画像読取装置の要部の他の斜視図。
【図８】本発明の一実施形態に係る画像読取装置の断面図。
【図９】本発明の一実施形態に係る画像読取装置の他の断面図。
【発明を実施するための形態】
【０００８】
（第一実施形態）
以下、本発明の好適な一実施形態について、図面を参照して詳細に説明する。
【０００９】
図１は本発明の画像読取装置の一例としてのフラットベッドスキャナの一実施形態の斜視図である。
【００１０】
図１に示すように、本実施形態のフラットベッドスキャナ１は、原稿Ｄを下筐体６０の上部に設けた原稿台ガラス（原稿載置台）１１上に配置し、開閉蓋２０で原稿Ｄを覆い、フラットベッドスキャナ１の本体部内に設けられたキャリッジ（画像読取手段の一例であるＣＣＤ［Ｃｈａｒｇｅ  Ｃｏｕｐｌｅｄ  Ｄｅｖｉｃｅ］やＣＩＳ（Ｃｏｎｔａｃｔ  Ｉｍａｇｅ  Ｓｅｎｓｏｒ）等の画像読取センサ４１を含む）４０を矢印ｙ方向に走査して原稿Ｄの画像読み取りを行う装置である。
【００１１】
そして、本実施形態では、フラットベッドスキャナ１の本体部に対して開閉可能な開閉蓋２０が長手方向（ｙｚ平面上）に回動可能に配置されている。
【００１２】
開閉蓋２０は、原稿台ガラス１１及び当該原稿台ガラス１１上に載置される原稿Ｄを覆う部材である。
【００１３】
図２は、本実施形態に係るフラットベッドスキャナ１の上面図である。フラットベッドスキャナ１は、開閉蓋２０の回動操作におけるヒンジとは反対側の端部（回動における径方向先端側）に、開閉蓋２０と隣接するように操作部５０が設けられている。
【００１４】
操作部５０は、スキャン開始ボタン５１およびスキャン停止ボタン５２、電源ボタン５３によって構成されており、スキャン開始ボタン５１が押下されると、キャリッジ４０が副走査方向（ｙ方向）に移動しながら、画像読取センサが主走査方向に走査することで、原稿載置台１１上の原稿Ｄの画像読み取りが開始される。なお、スキャンの開始については、フラットベッドスキャナ１に接続される情報処理装置で動作するアプリケーション側からスキャン設定を送信すると同時にスキャン開始の指示を送信しても良く、それらを組み合わせても良い。すなわち、フラットベッドスキャナ１においてスキャン開始ボタン５１が押下されたことを情報処理装置のアプリケーションで検出すると、スキャン設定やスキャン開始指示を改めて情報処理装置からフラットベッドスキャナ１に対して送信し、スキャンを実施してもよい。さらに、フラットベッドスキャナ１に接続される情報処理装置はネットワークを介した遠隔地に位置しても良く、その接続の仕方は有線に限られず、無線通信によって行っても良い。
【００１５】
図３は、本実施形態に係るフラットベッドスキャナ１の底面図である。図３（ａ）にはフラットベッドスキャナ１に基板カバー６１を取り付けた状態を示し、図３（ｂ）にはフラットベッドスキャナ１から基板カバー６１を取り外した状態を示している。
【００１６】
図３（ａ）に示すように、フラットベッドスキャナ１の底面には、下筐体６０とは別体で形成した基板カバー６１が設けられている。基板カバー６１は、下筐体６０の中央部に設けられており、下筐体６０に対してビス固定されている。図３（ｂ）の下筐体６０における基板カバー６１が設けられた位置には、下筐体６０側の内部側に向かって形成された凹部６２が設けられており、この凹部６２内に制御基板６３が配置されている。本実施形態においては、凹部６２は、キャリッジ４０の走査方向（ｙ方向）に対し、下筐体６０の端部から他端部に亘って一体に設けられている。
【００１７】
制御基板６３は、接続ケーブル（接続手段）６４によって画像読取センサ４１に接続される。なお、接続ケーブル６４はフレキシブルフラットケーブル（ＦＦＣ）などによって構成され、スキャン開始ボタン５１が押下されたことに基づくスキャン開始信号が制御基板６３に搭載された制御部（制御手段）６８に送信される。スキャン開始信号が制御部６８に送信されると、設定されたスキャン設定に基づき、制御部６８から接続ケーブル６４を介して画像読取センサ４１に対して制御信号を送信し、また、同時にキャリッジ４０の駆動手段に対して制御信号を送信することによって、原稿Ｄの画像読み取り動作が実行される。なお、駆動手段に対する制御信号は、接続ケーブル６４を介して行っても良いが、本実施形態においては、駆動手段をキャリッジ４０とは別に設けているため、別のケーブルを用いて行われる。制御部６８はスキャン開始以外にも画像読取センサ４１やキャリッジ４０の駆動制御全般を行うものであり、一例としてはＣＰＵやＡＳＩＣによって構成される。
【００１８】
制御基板６３の凹部６２に対する固定は、ビスによって行われる。なお、基板カバー６１を下筐体６０に対して取り付けるビスによって制御基板６３を共締めしてもよい。もっとも、基板カバー６１自体、ビスなどの固定部材を用いずに、爪部などによる嵌合によって固定しても構わず、それらを組み合わせて固定しても良い。接続ケーブル６４は、一端側が画像読取センサ４１に対して接続され、他端側が制御基板６３に設けられたコネクタ６３ａに対して接続される。画像読取センサ４１から制御基板６３までの接続ケーブル６４の引き回しについては後述する。
【００１９】
下筐体６０に対し図３における紙面右側には、キャリッジ４０の走査方向（ｙ方向）への移動を規制するためのキャリッジロック部材６５が設けられている。このキャリッジロック部材６５は下筐体６０に対してスライド可能に設けられており、キャリッジロック部材６５を固定位置にスライドさせることで、キャリッジ４０の移動が規制される。詳細は後述するが、キャリッジ４０の移動が規制されることで、例えばフラットベッドスキャナ１を移動する際に、筐体１００内部でキャリッジ４０が無闇に移動してしまい、不要な負荷がかかることなどを防ぐことができる。
【００２０】
図４は、本実施形態に係るフラットベッドスキャナ１の背面図であり、ケーブル接続用空間７０が形成されていることが示されている。図４に示しているように、電源基板に電源を供給する電源ケーブル７１がコネクタを介して電源基板に接続され、装置内に電力が供給する。また、フラットベッドスキャナ１が取得した原稿Ｄの読取画像を送信したり、読み取り設定を受信したりする情報処理装置を接続するための通信ケーブル７２もコネクタを介して制御基板６３に接続される。通信ケーブル７２としてはＵＳＢケーブルなどが用いられる。なお、本実施形態においては、制御基板６３と電源基板は共通基板として構成されている。
【００２１】
図５は、本発明の一実施形態に係る画像読取装置の要部の斜視図である。この図に示すように下筐体６０の内部には、底面の凹部６２に対応する突出部８１が形成されている。但し、以下の説明では突出部８１は底面の凹部６２に対応する部分であるため、凹部６２として説明することがある。また、突出部８１は、キャリッジ４０が副走査方向に対して移動する際に、接続ケーブル６４をガイド可能なように壁部８１ａを原稿載置台１１と略垂直に形成している。
【００２２】
壁部８１ａと下筐体６０の一側壁との間には、ケーブル収容空間８２が設けられており、キャリッジ４０をｙ方向に走査することに伴って、接続ケーブル６４の可動部分６４ａはケーブル収容空間８２の底面を摺動する。すなわち、キャリッジ４０が一端側に位置しているときには、接続ケーブル６４は下筐体６０の一側壁に沿うように位置しており、キャリッジ４０が他端側に位置しているときは、壁部８１ａに沿うように位置している。
【００２３】
本実施形態においては、ケーブル収容空間８２のｘ方向の一方側の端部は、壁部８１aによって形成されており、凹部６２によって形成される壁部８１aによってケーブル収容空間８２が形成されていると言える。必ずしも壁部８１aはｙ方向に対して一様に存在していなくても良いが、少なくとも、接続ケーブル６４の可動部分６４aの可動範囲に亘ってケーブル収容空間８２を形成するように壁部８１aが存在することが好ましい。
【００２４】
また、本実施形態においては、図３、図５などに示すように、下筐体６０に凹部６２を設けており、それに対応した突出部８１を下筐体６０の内面に設けている。凹部６２は、制御基板６３をその内部に収容するという目的を鑑みれば、制御基板６３をその内部に収容可能な大きさで形成すればよく、本実施形態においては、下筐体６０におけるｙ方向の中央部のみに設けられている。
【００２５】
それに対し下筐体６０の内部側である突出部８１は、下筐体６０におけるｙ方向の一端部から他端側に亘って設けられている。この構成によれば、キャリッジ４０がｙ方向に移動する際に発生する音が、下筐体６０内で響き、異音として筐体１００外部に聞こえてくるのを防ぐことができる。すなわち、本実施形態の構造によれば、フラットベッドスキャナ１からの異音の発生を防ぐとともに、下筐体６０内に突出部８１を設けていることによって、下筐体６０における強度の向上も可能となる。
【００２６】
なお、本実施形態のように突出部８１を下筐体６０の一端側から他端側に亘って設けることが好ましいが、必ずしもその必要はなく、例えば他の構成による設計スペースなどを考慮し、他端部側は途中までしか突出部８１を設けていない構成であっても、下筐体６０内部での音の反響を低減することができる。その場合でも下筐体６０の中央部に対して突出部８１が設けられていることが好ましく、凹部６２の位置に設けていることが好ましく、できるだけ原稿台１１側に突出させることがより好ましい。具体的には、キャリッジ４０が通過する領域と僅かに重ならない程度の突出量となっていることが好ましく、リブ８１ｃを設けている場合には、それよりもｚ方向の突出量が小さいことが好ましい。
【００２７】
図６は、本発明の一実施形態に係る画像読取装置の要部の拡大図である。本実施形態におけるキャリッジ４０は、ケーブル固定部材４５を有しており、図６に示すように、ケーブル固定部材４５に対して接続ケーブル６４を固定した上でキャリッジ４０に設けられた画像読取センサ４１に対して接続ケーブル６４が接続される。このとき、画像読取センサ４１に対する接続位置４１ａに対しては、原稿載置台１１と平行に接続ケーブル６４が接続されており、接続ケーブル６４のうち、ケーブル被固定部６４ｂが次のようにケーブル固定部材４５に対して固定されている。
【００２８】
すなわち、図６におけるｙ軸正方向に画像読取センサ４１に挿入されることによって取り付けられ、そこから、ｙ軸負方向に引き延ばされ、屈曲部６４ｂ１でｚ軸負方向側に１８０度折り返される。このとき、ケーブル固定部材４５のｘ方向の両端部に設けられた第１固定爪４５ａによって屈曲部の上部を押さえている。
【００２９】
接続ケーブル６４は、屈曲部６４ｂ１で折り曲げられた後、ｙ軸正方向に引き延ばされたのちに、屈曲部６４ｂ２にて再度ｚ軸負方向側に１８０度折り返される。すなわち、屈曲部６４ｂ１と屈曲部６４ｂ２とにより、蛇腹状に２階折り曲げられることになる。その後、ｙ軸負方向に引き延ばされた接続ケーブル６４は、屈曲部６４ｂ１と屈曲部６４ｂ２の中点程の位置の屈曲部６４ｂ３で、ｚ軸負方向に向かって９０度折り曲げられる。
【００３０】
その後、屈曲部６４ｂ４にて４５度の角度を付けてｙ軸正方向側を回ってｘ軸正方向に接続ケーブル６４が引き延ばされるように折り曲げられる。この屈曲部６４ｂ３から屈曲部６４ｂ４までのｚ軸負方向に延びた部分を保持するための第２固定爪４５ｂによって接続ケーブル６４自身の弾性（復元力）によってｙ軸負方向に広がろうとする接続ケーブル６４を、ケーブル固定部材４５側に保持している。
【００３１】
この屈曲部６４ｂ４にて折り曲げられた時点で、接続ケーブル６４は、キャリッジ４０に対してｚ方向で重ならない位置まで引き下げられている。同時に、屈曲部６４ｂ４にて折り返されたことにより、接続ケーブル６４が原稿台１１と垂直になっている。
【００３２】
原稿載置台１１と垂直な向きに変更された接続ケーブル６４に沿うようにして、ケーブル固定部材４５はケーブルガイド４６を有している。接続ケーブル６４は、屈曲部６４ｂ４で、下筐体６０の一端側から他端側に向かって折り曲げられている。そして、接続ケーブル６４は、他端側に向かって折り曲げられ、その後ｘ方向に延在するように引き出された接続ケーブル６４を再度一端側に引き出すことによって、このケーブルガイド４６に対して接続ケーブル６４自身の弾性により付勢される。
【００３３】
このように構成することによって、図７に示すように、キャリッジ４０が接続ケーブル６４（可動部分６４ａ）の上方（ｚ軸正方向）を移動して他端側に移動し、接続ケーブル６４がキャリッジ４０から一端側に向かって延びることになっても、ケーブルガイド４６の先端付近までは接続ケーブル６４自身の弾性によるコシを確保することができ、キャリッジ４０が一端側に再度移動する際に、キャリッジ４０の下方に接続ケーブル６４が巻き込まれることを防ぐことができる。
【００３４】
また、接続ケーブル６４は、原稿載置台１１に対して垂直（ケーブルの幅方向が原稿載置台１１に垂直）に配置されているため、ケーブル収容空間８２の底面との摺動摩擦を抑えられている。キャリッジ４０の下筐体６０の一端側から他端側への移動が、読み取り動作の度に何度となく繰り返されるが、上述したような一定の撓み方をさせることができ、意図しない撓み方とならないので接続ケーブル６４が引っ掛かったり、負荷による断線したりすることを防ぐことができる。
【００３５】
また、接続ケーブル６４を原稿台１１と並行に延在させた場合、キャリッジ４０の移動の際に原稿台１１に貼り付くことがある。これは、ガラスなどの絶縁体で形成された原稿台１１の表面（原稿側）に正負いずれかの電荷が帯電すると、他方面（筐体１００内部側）には他方の電荷が帯電することによる。本実施形態のように、原稿台１１に対して直交するように接続ケーブル６４（特に可動部分６４ａ）を配置することによって、原稿台１１が原稿との摩擦等によって帯電してしまった場合でも、原稿台１１に接続ケーブル６４が貼り付くことを防止することができる。そうすることで、キャリッジ４０が筐体１００の他端側（ｙ軸正方向側）に移動する際に原稿台１１に貼り付いた接続ケーブル６４が移動を阻害することを防ぐことができる。
【００３６】
さらに、原稿載置台１１と直交するように設けられた接続ケーブル６４はｙ方向（副走査方向）の中央部付近で、下筐体６０の一側面で接続ケーブル６４が原稿載置台１１と平行になるようにねじられ、下筐体６０の底面側の内壁に沿って引き出されたのちに、壁部８１ａに設けられた開口８１ｂから下筐体６０の底面側へ挿通されている。
【００３７】
このとき、接続ケーブル６４は、被嵌合部６４ｄによって固定された位置の他端側において、４５度折り曲げられて再度原稿載置台１１と平行な方向に向けられて下筐体６０の底面に沿うように配置され、壁部８１ａに向かって引き延ばされた後、壁部８１ａを貫通して制御基板６３に接続される。このように接続ケーブル６４を下筐体６０内部から凹部６２内に連通させるため、凹部６２内における制御基板のｚ方向に対する固定位置は、下筐体６０の底面とほぼ面一となっていることが好ましい。
【００３８】
このように、接続ケーブル６４が筐体１００の内部側から壁部８１ａを貫通して下筐体６０の底面側に引き回され、凹部６２内に配置された制御基板６３に対して接続されるようにしたことによって、制御基板６３のメンテナンス時には、基板カバー６１を外すだけで制御基板６３にアクセスできるため、メンテナンス性が向上する。また、制御基板６３のメンテナンスにおいて、凹部６２しか外部に開放されないため、筐体１００内に異物が入り込むことを防ぐことができる。本実施形態のような画像読取装置においては、筐体１００内部側からガラス製の原稿載置台１１などにゴミや埃が付着してしまうと、画像に対して白点や黒点が現れてしまう可能性があるため、本実施形態のように、凹部６２を設けることで制御基板６３を筐体１００に対して外部から取り付け可能にすることによる効果が顕著に表れる。
【００３９】
一方で、このような構成にすると、制御基板６３が下筐体６０の底面寄りに配置されやすくなり、底面側からの静電気等の影響を受けやすくなる。これに対し、本実施形態においては、図８に示すように、制御基板６３と基板カバー６１との間に板金６９を配置している。これによって制御基板６３に対する静電気等の影響を抑えることができる。板金６９は、基板カバー６１と一体に下筐体６０から取り外しができるように、基板カバー６１にビスや嵌合によって固定されていても良いし、接着によって固定されていても良い。
【００４０】
この構成によれば、静電気等への対策を行いつつ、メンテナンス性の低下を防ぐことができる。また、基板カバー６１を下筐体６０に固定するためのビスに対して共締めすることによって下筐体６０に対して固定しても良い。このようにすれば、基板カバー６１を外すことで板金６９の固定を外すことができ、作業性が低下するのを防ぐことができる。また、本実施形態における板金６９は、基板カバー６１の筐体１００内部側に密着するように固定され、ｚ方向において、制御基板６３を覆うことができる大きさとなっている。
【００４１】
図９は、本発明の一実施形態に係る画像読取装置の断面図である。図９（ａ）におけるＡ−Ａ断面を図９（ｂ）に示している。壁部８１ａの原稿載置台１１側の端部（上端部）には、リブ８１ｃが、突出部８１のそれ以外の部分における原稿載置台１１側の端部よりも突出するように設けられている。また、キャリッジ４０の下部に設けられた係合穴部材４３には下筐体６０の一端側から他端側へ延びる軸４２ａが挿通され、キャリッジ４０の移動はキャリッジ４０に設けられた係合部に係合するベルト（移動手段）を制御基板６３によって制御することで行っている。なお、移動手段として本実施形態ではベルト及びベルトを駆動するモータを用いているが、移動手段はそれに限られず、モータとリードスクリューなど、種々の変更が可能である。
【００４２】
係合穴部材４３は、軸４２ａに対してｙ方向に所定の長さを有する円筒状に形成されている。本実施形態においては、ｘ方向における中央から所定の位置にリブ８１ｃを形成し、その反対側に軸４２ａを設けることで、キャリッジ４０の移動を支持しており、さらにその間の位置（ｘ方向中央側）にキャリッジ４０を駆動するベルトを設けている。なお、ベルトは、軸４２ａ側に設けられており、これによって、ベルトによる駆動力が係合穴部材４３に伝達した際にキャリッジ４０が傾いて移動することを防ぐことができる。すなわち、キャリッジ４０のｘ方向における中央部に対し、一端側を下筐体６０の側壁と所定の距離を空けて軸４２ａで支持し、他端側を下筐体６０の側壁と所定の距離を空けてリブ８１ｃによって支持することでキャリッジ４０を安定して支持しつつ、その間（中央側）に設けたベルトによって、キャリッジ４０を駆動するようにしたことによって、キャリッジ４０が移動中に傾くのを防いでいる。
【００４３】
本実施形態においては、リブ８１ｃをレール部としてキャリッジ４０を移動させているが、リブ８１ｃにおける上面、すなわちキャリッジ４０と当接してキャリッジ４０が摺動する箇所の中央に溝部を有している。この構成によれば、キャリッジ４０に対する摺動抵抗を低減できる。なお、更に摺動抵抗を低減するために、溝部にグリスなどを塗布しても良い。
【００４４】
図９におけるキャリッジ４０の下筐体６０の底面側には、キャリッジロック部材６５が下筐体６０の底面側を貫通して下筐体６０の幅方向（ｘ方向）の中央部に設けられている。画像読取センサ４１は下筐体６０に対して幅方向の中央部に配置されているため、キャリッジロック部材６５は、画像読取センサ４１もしくはキャリッジ４０に対して幅方向における中央部に配置されていることとなる。
【００４５】
この構成によれば、キャリッジ４０が他端側に移動するのをキャリッジロック部材６５が防ぐ際に、キャリッジ４０にかかるモーメント（特に幅方向端部）の最大値を低減することができ、キャリッジ４０や係合穴部材４３に対する負荷を軽減できる。本実施形態においては、キャリッジ４０の移動を、軸４２ａとリブ８１ｃとでキャリッジ４０の底面を支持することで移動の案内をしているが、キャリッジロック部材６５をその２部材の中心側に設けることによってキャリッジ４０の移動を安定して規制することができる。
【００４６】
なお、キャリッジロック部材６５について更に詳述すると、軸４２ａよりもリブ８１ｃ側に寄せて位置させることによって、上記の安定した規制に加えて、キャリッジ４０の幅方向でのｘｙ面に関する移動の規制を、係合穴部材４３との間で好適に行うこともできる。すなわち、本実施形態においては、キャリッジロック部材６５を使用する際に、ｚ方向（負方向）への規制は軸４２ａとリブ８１ｃとで行っているが、ｘｙ面内での移動の規制は、軸４２ａとキャリッジロック部材６５とで行うことになるため、キャリッジ４０の幅方向において、中央部から両端側に距離を設けた位置にその２部材を配置することで、ｘｙ面内における移動の規制においてキャリッジ４０に及ぼされるモーメントを低減することができる。
【００４７】
また、下筐体６０には屈曲構造６６が設けられている。屈曲構造６６によって、接続ケーブル６４はケーブル屈曲部６４ｃの部分において、ｘ方向に波打つようにして固定される。ケーブル屈曲部６４ｃが波打つようにしてコシを付けられた接続ケーブル６４は、ケーブル屈曲部６４ｃの他端側に連なる被嵌合部６４ｄにおいて、嵌合部材６７によって下筐体６０の底面側に向けて押さえつけて固定される。
【００４８】
こうすることで、キャリッジ４０がｙ方向で移動して接続ケーブル６４がケーブル収容空間８２内で移動する際に、接続ケーブル６４がｚ方向で下筐体６０から浮いてしまうのを防ぐことができ、安定した接続ケーブル６４の摺動を行わせることができる。但し、嵌合部材６７に対して常に当接するようにされる必要はなく、所定量上方（ｚ軸正方向）に移動した際に接続ケーブル６４と当接するようにしてあっても良い。
【００４９】
また、操作部５０の底面側に対応する位置に、操作部基板５４が設けられており、操作部基板５４の操作部コネクタ５５に接続された操作部ケーブル５６が、下筐体６０の中央部に向けて下筐体６０の突出部８１上を引き回されており、凹部６２に対応する位置で、下筐体６０の底面側に貫通するように引き出されて、制御基板６３に接続されている。
【００５０】
このように、接続ケーブル６４が下筐体６０の底面側に位置するように構成した上で、キャリッジ４０を軸４２ａとリブ８１ｃとで支持してｙ方向（副走査方向）に走査させることで、キャリッジ４０が接続ケーブル６４の上方（本体載置時の鉛直方向上側）を通過するようにして、キャリッジ４０と接続ケーブル６４との接触を防ぎながら、画像読取センサ４１による原稿Ｄの画像読取動作を実行することができる。
【００５１】
（第二実施形態）
以下、本発明の第二実施形態について説明するが、基本的な構成は第一実施形態と同様であるため説明を省略し、異なる部分のみ説明する。
【００５２】
本実施形態においては、フラットベッドスキャナ１の上部にＡＤＦ（Ａｕｔｏ  Ｄｏｃｍｅｎｔ  Ｆｅｅｄｅｒ）を設ける。この場合、ＡＤＦとしては公知のものを用いることができ、その構造については特に限定されるものではない。
【００５３】
上記第一実施形態においては、開閉蓋２０をｙｚ平面内で開閉させていたが、本実施形態においては、開閉蓋２０をｘｚ平面内で開閉させるように構成して良い。つまり、ＡＤＦを一端部側に設け、ＡＤＦ部分については開閉蓋２０を開閉しても開閉しないように構成することができる。
【００５４】
その場合、操作部５０は、筐体１００におけるｘ方向のいずれかの端部側であり、開閉蓋２０の開閉における先端側となる筐体１００の外側面に設けることが好ましい。その場合、操作部基板５４も同じ位置に設けられることとなるが、操作部５０をｙ方向における中央部すなわち、凹部６２と対向する位置に配置することによって、操作部ケーブル５６の長さを短くすることができる。
【００５５】
また、ＡＤＦと制御基板６３との接続についても、上述したように筐体１００の一端部側にＡＤＦを設けつつ、第一実施形態で説明したような接続ケーブル６４の配置を考慮すると、ＡＤＦと制御基板との連結部（ケーブル）２００は、第一実施形態で操作部ケーブル５６を設けていた位置に設けることが好ましく、具体的には、ＡＤＦから筐体１００内部に連結部２００を挿通し、そこから突出部８１の上面を引き回して凹部６２に対応する位置で下筐体６０の対面側に貫通させるように連結部２００を配置することが好ましい。なお、連結部２００は、ＡＤＦに設けたコネクタ等の接続部に対して接続されるように構成された筐体１００内部の構成であってもよく、一例としては、第一実施形態において説明した操作部ケーブル５６を筐体１００の外部まで引き延ばして配置しても良い。
【００５６】
さらに、上述した各実施形態では、画像読取装置の一例としてフラットベッドスキャナを例示して説明したが、本発明は勿論これに限定されず、画像読取装置（画像読取手段）を備えた装置、例えば、複写機や複合機等の各種処理装置に本発明を適用してもよい。
【符号の説明】
【００５７】
１  フラットベッドスキャナ
４０  キャリッジ
４１  画像読取センサ
６２  凹部
６３  制御基板
６４  接続ケーブル
【図１】
2018148365.tif 000003
【図２】
2018148365.tif 000004
【図３】
2018148365.tif 000005
【図４】
2018148365.tif 000006
【図５】
2018148365.tif 000007
【図６】
2018148365.tif 000008
【図７】
2018148365.tif 000009
【図８】
2018148365.tif 000010
【図９】
2018148365.tif 000011